(57)【要約】【課題】レバーによるコネクタ同士の嵌合機能を充実させる。【解決手段】コネクタは、互いに嵌合可能な雌雄の両ハウジング１０，２０からなり、雌側ハウジング２０には、雄側ハウジング１０との間でカム作用を発揮することで両ハウジング１０，２０を互いに引き寄せ可能なレバー２４が装着されている。雌雄の両ハウジング１０，２０が正規の嵌合位置にあるときに、レバー２４と雌側ハウジング２０とを互いに連通可能な連通部３０が形成され、この連通部３０には、レバー２４を雌側ハウジング２０にロック可能とする止め具４０が挿通される。【選択図】  図７
2004335286.tif 000002
【特許請求の範囲】
【請求項１】
雌側端子金具が収容された雌型コネクタハウジングと、雄側端子金具が収容された雄型コネクタハウジングとからなり、これら雌雄の両コネクタハウジングのうちいずれか一方のコネクタハウジングには、一対の脚部が回動操作部によって連結されることで全体として門型形状をなすレバーが装着されており、このレバーの回動動作に基づくカム機構によって前記雌雄の両コネクタハウジングが互いに引き寄せられて正規の嵌合状態となるコネクタであって、
前記雌雄の両コネクタハウジングが正規の嵌合位置にあるときに、前記レバーと前記一方のコネクタハウジングとを互いに連結可能な連通部が形成され、この連通部には、前記レバー側から前記一方のコネクタハウジング側にかけて挿通されることにより、前記レバーを前記一方のコネクタハウジングにロック可能とすると止め具が設けられていることを特徴とするコネクタ。
【請求項２】
前記連通部は、前記レバー側に向かう特定の外力作用方向とほぼ直交する方向に沿って配設されていることを特徴とする請求項１に記載のコネクタ。
【請求項３】
前記止め具は、前記レバーの回動を許容する仮係止位置と、前記レバーの回動を阻止する本係止位置との間を移動可能に設定されていることを特徴とする請求項１または２に記載のコネクタ。
【請求項４】
前記回動操作部には、収容凹部が凹設されており、
前記止め具は、前記本係止位置にあるときに、前記収容凹部に収容されることにより、その外面が前記収容凹部の周囲の面とほぼ面一か奥方へ引込んで位置するようにしてあることを特徴とする請求項３に記載のコネクタ。
【請求項５】
前記止め具は、内挿体と外殻体とからなり、
前記外殻体は、軸方向に沿って配される内外に撓み可能なスリーブを備え、このスリーブ内に前記内挿体が挿通係合されることにより、スリーブ先端側が拡開して前記連通部の孔壁を押圧可能なように形成されていることを特徴とする請求項１または２に記載のコネクタ。
【発明の詳細な説明】
【０００１】
【発明の属する技術分野】
本発明は、ワイヤーハーネス同士を接続するためのコネクタに関する。
【０００２】
【従来の技術】
この種のコネクタは、図１２に示すように、パネル１に取り付けられる待受け側コネクタハウジング２と、この待受け側コネクタハウジング２に嵌合される組付け側コネクタハウジング３とから構成されている。待受け側コネクタハウジング２内には雄端子金具（図示せず）が収容される一方、組付け側コネクタハウジング３内には雌端子金具（図示せず）が収容されており、これら両コネクタハウジング２，３が嵌合されることで、互いの端子金具の導通接続を行っている。
【０００３】
ここで、組付け側コネクタハウジング３には、待受け側コネクタハウジング２との間でカム作用を発揮して両コネクタハウジング２，３を互いに引き寄せて正規嵌合状態となすレバー４が回動可能に取り付けられるとともに、両コネクタハウジング２，３を正規嵌合位置に留め置くためにレバー４の回動を阻止するロック片５が設けられている。このロック片５は、ハウジング側壁部において両側に切り溝（図示せず）を有して片持ち状に設けられており、その延出先端側にはレバー４をロック状態からロック解除状態に切り換え可能な解除操作部６が設けられている。なお、こうしたコネクタの例としては、特許文献１記載のものが知られている。
【０００４】
【特許文献１】
特開２００１−２４４０１４公報
【０００５】
【発明が解決しようとする課題】
上記特許文献のものは、レバー４のロック及びその解除の切り換えを簡便に行うことができるものであったが、より有用なものが望まれていた。
本発明は、レバーによるコネクタ同士の嵌合機能をより充実させることを目的とする。
【０００６】
【課題を解決するための手段】
上記の目的を達成するための手段として、請求項１の発明は、雌側端子金具が収容された雌型コネクタハウジングと、雄側端子金具が収容された雄型コネクタハウジングとからなり、これら雌雄の両コネクタハウジングのうちいずれか一方のコネクタハウジングには、一対の脚部が回動操作部によって連結されることで全体として門型形状をなすレバーが装着されており、このレバーの回動動作に基づくカム機構によって前記雌雄の両コネクタハウジングが互いに引き寄せられて正規の嵌合状態となるコネクタであって、前記雌雄の両コネクタハウジングが正規の嵌合位置にあるときに、前記レバーと前記一方のコネクタハウジングとを互いに連結可能な連通部が形成され、この連通部には、前記レバー側から前記一方のコネクタハウジング側にかけて挿通されることにより、前記レバーを前記一方のコネクタハウジングにロック可能とすると止め具が設けられている構成としたところに特徴を有する。
【０００７】
請求項２の発明は、請求項１に記載のものにおいて、前記連通部は、前記レバー側に向かう特定の外力作用方向とほぼ直交する方向に沿って配設されている構成としたところに特徴を有する。
【０００８】
請求項３の発明は、請求項１または２に記載のものにおいて、前記止め具は、前記レバーの回動を許容する仮係止位置と、前記レバーの回動を阻止する本係止位置との間を移動可能に設定されている構成としたところに特徴を有する。
【０００９】
請求項４の発明は、請求項３に記載のものにおいて、前記回動操作部には、収容凹部が凹設されており、前記止め具は、前記本係止位置にあるときに、前記収容凹部に収容されることにより、その外面が前記収容凹部の周囲の面とほぼ面一か奥方へ引込んで位置する構成としたところに特徴を有する。
【００１０】
請求項５の発明は、請求項１または２に記載のものにおいて、前記止め具は、内挿体と外殻体とからなり、前記外殻体は、軸方向に沿って配される内外に撓み可能なスリーブを備え、このスリーブ内に前記内挿体が挿通係合されることにより、スリーブ先端側が拡開して前記連通部の孔壁を押圧可能なように形成されている構成としたところに特徴を有する。
【００１１】
【発明の作用及び効果】
＜請求項１の発明＞
一方のコネクタハウジングとレバーとを互いに連通する連通部には、レバーを一方のコネクタハウジングにロック可能な止め具が挿通されているため、雌雄の両コネクタハウジングが正規の嵌合位置にて確実に留め置かれる。
【００１２】
＜請求項２の発明＞
連通部は、レバー側に向かう特定の外力作用方向とほぼ直交する方向に沿って配設されているため、レバー側に向かう特定の外力によっては止め具によるロックを解除することができない。
【００１３】
＜請求項３の発明＞
止め具は、仮係止位置と本係止位置との間を移動可能に設定されているため、止め具を仮係止位置にて仮係止させ、止め具と一方のコネクタハウジングとを一体化させた状態でコネクタ同士の嵌合作業を行うことができ、作業性に向上させることができる。
【００１４】
＜請求項４の発明＞
止め具は、本係止位置において、その外面が収容凹部の周囲の面とほぼ面一か奥方へ引込んで位置するようにしてあるため、収容凹部から不用心に取り外れる事態を回避できる。
【００１５】
＜請求項５の発明＞
外殻体のスリーブに内挿体が挿通係合されることにより、スリーブ先端側が拡開して連通部の孔壁を押圧可能となっているため、外殻体のスリーブに内挿体を挿通係合させるだけの簡単な作業によってレバーを一方のコネクタハウジングにロックすることができる。
【００１６】
【発明の実施の形態】
以下、本発明の実施の形態を図面に基づいて説明する。
＜第１実施形態＞
本発明の第１実施形態を図１乃至図８によって説明する。本実施形態に係るコネクタは、図６に示すように、パネルＰに取り付けられる待受け側コネクタハウジングとしての雄型コネクタハウジング（以下、雄側ハウジング１０という）と、この雄側ハウジング１０に嵌合される組付け側コネクタハウジングとしての雌型コネクタハウジング（以下、雌側ハウジング２０）とを備える。なお、以下では、雌雄の両ハウジング１０，２０の嵌合面側を前側とする。
【００１７】
まず、雄側ハウジング１０について説明すると、この雄側ハウジング１０は、図１に示すように、パネルＰに開口して設けられた取付口ＰＡに対してパネル後面側より嵌め込まれ、パネル前面側の取付口ＰＡの開口縁に係止爪（図示せず）で係止されるものである。この雄側ハウジング１０は、内側に複数室のキャビティ（図示せず）を設けた本体部１１と、この本体部１１の前方に略角筒状に形成されたフード部１２とを備えている。本体部１１におけるキャビティ内には雄側端子金具（図示せず）が収容可能とされている。
一方、フード部１２は、本体部１１より一回り大きく形成されており、その内側には各キャビティに対応する複数の雄側端子金具の先端部分が突出した状態で配されている。また、フード部１２内には雌側ハウジング２０が嵌合され、フード部１２の内側面には雌側ハウジング２０の外面に取り付けられたレバー２４のカム溝Ｗに嵌められる一対のフォロアピン１３が突設されている。
【００１８】
続いて、雌側ハウジング２０について説明する。この雌側ハウジング２０は、図５に示すように、嵌合面を有するハウジング本体２１と、このハウジング本体２１に対して後面側から被せられるとともに嵌合面を除いた外側面の全体を覆うように装着されるグロメット２２と、このグロメット２２の外側に装着されるグロメットカバー２３と、このグロメットカバー２３の側面に取り付けられ、雄側ハウジング１０との間のカム作用によって両ハウジング１０，２０を互いに引き寄せるレバー２４とを備える。また、レバー２４には、雌雄の両ハウジング１０，２０が正規の嵌合位置にあるときに、このレバー２４側からグロメットカバー側２３にかけて挿通することにより、レバー２４をグロメットカバー２３にロック可能とする止め具４０が設けられている。
ハウジング本体２１内には、図５に示すように、雌側端子金具（図示せず）を収容可能なキャビティ２１Ａが複数室設けられている。グロメット２２のうちハウジング本体２１を取り囲む部分の後面からはハウジング本体２１から引き出された電線を通すための電線導出部２２Ａが、図示下方へと延出されている。
グロメットカバー２３は、ハウジング本体２１との間でグロメット２２を挟持可能に形成されており、全体として嵌合面側に開口する箱形に形成されている。グロメットカバー２３の後面の下端側には、電線導出部２２Ａを逃がす挿通口２３Ｆが設けられている。
【００１９】
また、グロメットカバー２３の両側壁のうちのいずれか一方には、図２に示すように、一対の切り溝２３Ｇを設けることにより、これら切り溝２３Ｇ間にて内外に撓み可能とされたロック片２３Ｈが設けられている。ロック片２３Ｈの外側面は、レバー２４が嵌合位置にあるときにレバー２４の脚部２４Ａによって覆われており、このロック片２３Ｈの外側面には、図１に示すように、脚部２４Ａの係合孔２４Ｃ（後述する）に内側から嵌まり込んでレバー２４を嵌合位置にてロックする係合凸部２３Ｊが設けられている。そして、ロック片２３Ｈの延出先端には、図２に示すように、レバー２４のロックを解除操作するための解除操作部２３Ｋが設けられている。この解除操作部２３Ｋは、グロメットカバー２３の後壁面に露出した状態で配されており、グロメットカバー２３の後壁のうちで解除操作部２３Ｋと対応する部分には、解除操作部２３Ｋが撓み可能な退避空間を保有する切り込み２３Ｓが設けられている。
【００２０】
また、グロメットカバー２３の後壁における上端位置には、図５に示すように、前方へ向かってせり上がる態様の隆起部２７が立設されている。この隆起部２７の上面は、レバー２４の回動操作部２４Ｂの内面の回動軌道に沿うような曲面とされている。隆起部２７の上面において幅方向の中央位置には、図４に示すように、有底角穴状の受け部３１が凹み形成されている。なお、レバー２４の回動操作部２４Ｂの内面も隆起部２７の上面と対応する曲面とされている。
【００２１】
次にレバー２４について説明すると、レバー２４は、図２に示すように、一対の脚部２４Ａが回動操作部２４Ｂによって連結されることで全体が門型に形成されている。両脚部２４Ａには、図１に示すように、雄側ハウジング１０に設けられたフォロワピン１３が進入可能なカム溝Ｗが設けられており、このカム溝Ｗの入り口は、レバー２４を回動させる前の状態では前方を向くようになっている。そして、このカム溝Ｗの入り口にフォロワピン１３を進入させた初期位置から嵌合位置へ向かってレバー２４を回動操作することにより、フォロアピン１３がカム溝に沿って移動されるとともに、両ハウジング１０，２０の嵌合動作が進行されるようになっている。また、両脚部２４Ａのうちのいずれか一方には、係合孔２４Ｃが設けられており、この係合孔２４Ｃにロック片２３Ｈの係合凸部２３Ｊが嵌まり込むことで、レバー２４がロックされるようになっている。
【００２２】
また、レバー２４は、図４に示すように、その回動操作部２４Ｂから脚部２４Ａの上部にかけて外側へ突出形成されており、この突出領域２４Ｓの板厚方向に関する外側部分を切り欠くことにより、全体として略Ｃ字状をなす収容凹部６０が形成されている。この収容凹部６０には、レバー２４が回動完了位置にあるときに、止め具４０が収容されるようになっている。
両脚部２４Ａにおける収容凹部６０の奥面には、止め具４０の挿し込み方向に沿って順に仮係止部６１と本係止部６２とが凹み形成されている。そして、これら仮係止部６１と本係止部６２とは、夫々、止め具４０におけるアーム片４２の爪部４３（後述する）と引掛け状態で係合して止め具４０を仮係止位置と本係止位置とに留め置くようにしている。
【００２３】
また、回動操作部２４Ｂにおける収容凹部６０の奥面には、連通孔３２が板厚方向に貫通して形成されており、レバー２４が嵌合位置にあるときに、グロメットカバー２３の受け部３１と整合することで全体として有底角穴状の連通部３０を形成する。この連通部３０は、図６に示すように、レバー２４に対して特定の外力が作用する際の外力作用方向とほぼ直交する方向に沿って延設されている。また、この連通部３０には、図７に示すように、止め具４０がレバー２４側からグロメットカバー２３側にかけて挿通されるようになっており、もってレバー２４をグロメットカバー２３にロックするようにしている。
【００２４】
止め具４０が仮係止位置にあるときには、図４に示すように、止め具４０の本体部４１が連通孔３２を介して受け部３１の開口部手前に位置しており、レバー２４の回動が許容された状態にある。一方、止め具４０が本係止位置にあるときには、図７に示すように、止め具４０の本体部４１（後述する）の全体が連通部３０に密嵌されており、レバー２４の回動が阻止された状態にある。また、止め具４０は、本係止位置において、図６に示すように、収容凹部６０にすっぽりと収容され、その外面が収容凹部６０の周囲の面とほぼ面一となるとともにレバー２４の外面と連続するように設定されている。
【００２５】
止め具４０について具体的に説明すると、この止め具４０は、図７に示すように、略直方体形状をなす本体部４１と、この本体部４１において挿し込み方向の後端位置から両側外方へ延出されるとともに、レバー２４の回動操作部２４Ｂを跨ぐように弓形に湾曲する撓み可能な一対のアーム片４２とから一体に設けられている。そして、両アーム片４２の延出先端には、夫々、内側へ向かって突き出ることで仮係止部６１と本係止部６２の夫々に係合可能な爪部４３が形成されている。止め具４０が本係止位置にあるときに、爪部４３は、収容凹部６０側にて対向するテーパ面との間に略Ｖ字状の隙間Ｂを形成している。そして、爪部４３の外面には、隙間Ｂを通して進入する引掛け部材（図示せず）と係合可能な引掛部４５が凹設されている。
【００２６】
本実施形態は以上のような構成であり、続いてその作用について説明する。まず、雄側ハウジング１０のキャビティ内に雄側端子金具を収容するとともに、雌側ハウジング２０のキャビティ２１Ａ内に雌側端子金具を収容し、雄側ハウジング１０をパネルＰに取り付ける。続いて、両ハウジング１０，２０を嵌合させる前に、雌側ハウジング２０に予め止め具４０を組付けておく。具体的には、止め具４０における両アーム片４２の爪部４３をレバー２４における収容凹部６０の仮係止部６１に弾性的に嵌入させ、止め具４０を仮係止位置にて抜け止め状態で装着すればよい。
続いて、両ハウジング１０，２０を嵌合させる作業に移行する（嵌合過程については図示していない）。まず雄側ハウジング１０のフード部１２内に雌側ハウジング２０を緩く嵌合させ、フォロワピン１３をレバー２４のカム溝Ｗの入り口に臨ませる。この状態でレバー２４の回動操作部２４Ｂを摘んでレバー２４を初期位置から回動完了位置へ向かって回動させる。すると、フォロワピン１３がカム溝Ｗに沿って移動され、この動作にともなって両ハウジング１０，２０の嵌合動作が進行される。そして、レバー２４の回動操作部２４Ｂが隆起部２７の上面に乗り上げると、両ハウジング１０，２０は正規の嵌合状態となり、互いの端子金具の導通接続が取られる。この状態では、図４に示すように、レバー２４の回動操作部２４Ｂに設けられた連通孔３２と雌側ハウジング２０の隆起部２７に設けられた受け部３１とが互いに整合して連通部３０が形成される。
【００２７】
次に、仮係止状態にある止め具４０を収容凹部６０の奥側へ向かって押し込み操作する。すると、止め具４０における両アーム片４２の爪部４３が仮係止部６１を弾性的に乗り越えて本係止部６２に嵌まり込むとともに、止め具４０における本体部４１が連通部３０の奥側へ変位して受け部３１側へ緊密に嵌合されるようになる（図７参照）。止め具４０は、本係止位置において、その両アーム片４２の爪部４３が本係止部６２に引掛け状態で係合されているため、仮係止位置への戻りが規制されるとともに本係止位置よりも奥側への移動が規制される。もっとも、止め具４０は、その本体部４１が受け部３１の奥面に当て止め状態となっているため、本係止位置より奥側への移動は確実に阻止されている。
【００２８】
止め具４０によるレバー２４のロックを正規に解除するには、隙間Ｂを通して引掛け部材（図示せず）を差し入れて爪部４３に凹設された引掛部４５に係合させ、こじり上げるようにする。すると、引掛け部材のこじりに伴ってアーム片４２の爪部４３が本係止部６２を弾性的に乗り越えて仮係止位置側へ向かって移動し、もって止め具４０がレバー２４から離間されるようになる。
【００２９】
本実施形態によれば、雌側ハウジング２０とレバー２４とを連通する連通部３０に止め具４０が挿通されているため、雌雄の両コネクタハウジングが正規の嵌合位置にて確実に留め置かれる。しかも、連通部３０は、レバー２４に向かう特定の外力作用方向と略直交する方向に沿って配設されているため、レバー２４に向かう特定の外力によっては、止め具４０によるロックを解除することができない。
【００３０】
また、止め具４０は、仮係止位置と本係止位置との間を移動可能に設定されているため、止め具４０を仮係止位置にて仮係止させ、止め具４０と雌側ハウジング２０とを一体化させた状態で両コネクタの嵌合作業を行うことができ、作業性に優れる。そして、本係止位置における止め具４０は、その外面が収容凹部６０の周囲の面とほぼ面一で位置するようにしてあるため、収容凹部６０から不用心に取り外れる事態を回避できる。
【００３１】
＜第２実施形態＞
次に、本発明の第２実施形態を図９乃至図１１によって説明する。第２実施形態では、連通部３０が形成される部位やその連通部３０に挿通される止め具４０の形態等が第１実施形態と異なっている。その他は概ね第１実施形態と同様であり、第１実施形態と共通する部位には同一符合を付し、同一の作用効果を奏するところは説明を省略することとする。
【００３２】
第２実施形態では、図９に示すように、レバー２４の両脚部２４Ａの後端縁（レバー２４を回動完了位置へ向けて操作する場合における操作方向の後側の端縁）で且つ回動操作部２４Ｂ寄りの位置に、後方へ向けて円弧をなす張出部２４Ｃが突出形成されている。張出部２４Ｃには、図１０に示すように、その外縁を縁取る円弧とほぼ同心の円形をなす連通孔３２が貫通して設けられ、この連通孔３２は、雌雄の両ハウジング１０，２０が正規の嵌合位置にあるときに、グロメットカバー２３の側壁に貫通形成された受け部３１と整合することで連通部３０を形成するようにしてある。張出部２４Ｃにおいて連通孔３２の孔周りには、止め具４０の鍔４６を収容可能な着座部２４Ｔが凹み形成されている。また、グロメットカバー２３には、図９に示すように、隆起部２７の前端側の周縁から外側に張り出すとともに隆起部２７の上方を庇状に覆うような態様で覆い部５０が形成されている。覆い部５０は、レバー２４が回動完了位置にあるときに、対応位置する隆起部２７の上面との間でレバー２４の回動操作部２４Ｂを収容可能なようになっている。
【００３３】
一方、止め具４０は、図１０に示すように、内挿体４７とその内挿体４７に外嵌される外殻体４８とから構成されている。内挿体４７は、頭部４７Ａとねじ切りされた軸部４７Ｂとからなる一方、外殻体４８は、内挿体挿入口（図示せず）を有する鍔４６とその鍔４６から軸方向に延出されるスリーブ４９とからなり、このスリーブ４９は、内挿体挿入口に開口される割り溝４９Ａを有することで内外に撓み可能となっている。割り溝４９Ａの内壁は、スリーブ４９先端側に向かってテーパ状に縮径されており、内挿体挿入口から割り溝４９Ａ内に内挿体４７が挿し入れられると、この内挿体４７の軸部４７Ｂによって押し広げられるようになっている。これにより、図１０から図１１にかけて示すように、連通部３０に外殻体４８を挿し入れ、内挿体４７の軸を内挿体挿入口から割り溝４９Ａ内に押し込んで行くと、その押し込みとともに割り溝４９Ａの先端側が押し広げられ、拡開されたスリーブ４９の先端側が連通部３０の孔壁を押圧するようになり、その押圧力でもってレバー２４はグロメットカバー２３に固定されるようになる。
【００３４】
第２実施形態によれば、外殻体４８のスリーブ４９に内挿体４７が挿通係合されることにより、スリーブ先端側が拡開して連通部３０の孔壁を押圧可能となっているため、スリーブ４９に内挿体４７を押し込むだけの簡単な作業によってレバー２４を雌側ハウジング２０にロックすることができる。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３６】
（１）本発明では、解除規制部材が仮係止位置と本係止位置との間を移動可能なように構成されているが、仮係止位置を設けない態様であっても構わない。そうすると、解除規制部材の形態がより簡略化される。
（２）連通部は、止め具がレバー側から雌側ハウジングにかけて挿通可能なように形成されていればよい。
（３）止め具は、本係止位置にあるときに、その外面が収容凹部の周囲の面よりも引込んで位置するように設定されていても構わない。
【００３７】
（４）上記実施形態では、雌側ハウジング側にレバーが設けられていたが、本発明においては、雄側ハウジング側にレバーが設けられていても構わない。また、本発明は、待受け及び組付けに関係なく、ワイヤーハーネス同士を接続する通常のコネクタに適用しても構わない。
【図面の簡単な説明】
【図１】本発明の第１実施形態に係るコネクタにおいて止め具を装着させる前の状態を示す側面図
【図２】同じく正面図
【図３】止め具を仮係止位置に設定した状態を示す側面図
【図４】同じく縦断面図
【図５】同じく側断面図
【図６】止め具を本係止位置に設定した状態を示す側面図
【図７】同じく縦断面図
【図８】同じく側断面図
【図９】本発明の第２実施形態に係るコネクタを示す側面図
【図１０】止め具を装着させる前の状態を示す横断面図
【図１１】止め具を装着させた後の状態を示す横断面図
【図１２】従来のコネクタの斜視図
【符号の説明】
Ｐ…パネル
１０…雄側ハウジング
２０…雌側ハウジング
２３Ｈ…ロック片
２４…レバー
２４Ａ…脚部
２４Ｂ…回動操作部
３０…連通部
４０…止め具
４７…内挿体
４８…外殻体
４９…スリーブ
６０…収容凹部
【図１】
2004335286.tif 000003
【図２】
2004335286.tif 000004
【図３】
2004335286.tif 000005
【図４】
2004335286.tif 000006
【図５】
2004335286.tif 000007
【図６】
2004335286.tif 000008
【図７】
2004335286.tif 000009
【図８】
2004335286.tif 000010
【図９】
2004335286.tif 000011
【図１０】
2004335286.tif 000012
【図１１】
2004335286.tif 000013
【図１２】
2004335286.tif 000014